(57)【要約】【課題】本発明の実施形態は、ペイ・パー・クリック・データ処理システムのための詐欺防止方法を提供する。【解決手段】方法は、マーケティングされるサイトを参照するホスト・サイト内のリンクに対するクリック・スルーを受け取ることを含むことができる。この方法はまた、クリック・スルーでのリンクに関するリンク・アドレスを識別することを含むことができる。この方法は、識別したリンク・アドレスを、マーケティングされるサイトに関する実際のリンク・アドレスに対して記録された修正リンク・アドレスと比較することをさらに含むことができる。最後に、この方法は、識別したリンク・アドレスが修正リンク・アドレスではない場合にクリック・スルーを無効にすることを含むことができる。逆に言えば、この方法は、識別したリンク・アドレスが修正リンク・アドレスである場合に、マーケティングされるサイトにクリック・スルーをリダイレクトすることを含むことができる。【選択図】図1
2009512918.tif 000002
【特許請求の範囲】
【請求項１】
ホスト・サイトおよびマーケティングされるサイトに結合するように構成されたペイ・パー・クリック・エンジンと、
前記ペイ・パー・クリック・エンジンに結合されたリンク・ランダム化ロジックであって、前記ホスト・サイト内に配置され、前記マーケティングされるサイトを参照する、リンクに関するリンク・アドレスを修正することを可能ならしめるプログラム・コードを含む、リンク・ランダム化ロジックとを含み、
前記ペイ・パー・クリック・エンジンが、前記修正リンク・アドレスを参照しない前記リンクに対するクリック・スルーを拒絶することを可能ならしめるプログラム・コードを含む、
ペイ・パー・クリック・データ処理システム。
【請求項２】
前記ホスト・サイトおよびマーケティングされるサイトが、ホスト・ウェブ・サイトおよびマーケティングされるウェブ・サイトを含む、請求項１に記載のシステム。
【請求項３】
前記リンク・アドレスがユニフォーム・リソース・ロケータ（ＵＲＬ）である、請求項１または２に記載のシステム。
【請求項４】
前記リンク・ランダム化ロジックに結合されたクロックをさらに備え、前記リンク・ランダム化ロジックの前記プログラム・コードがさらに、前記クロックで示される時間に応答して前記リンク・アドレスを修正することを可能ならしめる、請求項１、２、または３に記載のシステム。
【請求項５】
前記リンク・ランダム化ロジックに結合されたクロックをさらに備え、前記リンク・ランダム化ロジックの前記プログラム・コードがさらに、前記クロックで示される時間に応答してランダム値を含むように前記リンク・アドレスを修正することを可能ならしめる、請求項１、２、または３に記載のシステム。
【請求項６】
前記リンク・ランダム化ロジックに結合されたクロックをさらに備え、前記リンク・ランダム化ロジックの前記プログラム・コードがさらに、前記クロックで示される時間に応答して、前記マーケティングされるサイトによって与えられるランダム値、乱数シード、および乱数アルゴリズムのうちの１つによって、前記リンク・アドレスを修正することを可能ならしめる、請求項１、２、または３に記載のシステム。
【請求項７】
単一ソースからの前記リンクの各クリック・スルーをカウントすることが可能なカウンタをさらに備え、
前記ペイ・パー・クリック・エンジンが、前記カウンタがしきい値を超えることに応答して、人間の存在を確立するために前記クリック・スルーの前記単一ソースを精査することを可能ならしめるプログラム・コードをさらに含む、
請求項１ないし６のいずれかに記載のシステム。
【請求項８】
前記ペイ・パー・クリック・エンジンが、
マーケティングされるサイトを参照するホスト・サイト内のリンクに対するクリック・スルーを受け取る手段と、
前記クリック・スルーでの前記リンクに関するリンク・アドレスを識別する手段と、
前記識別したリンク・アドレスを、前記マーケティングされるサイトに関する実際のリンク・アドレスに対して記録された修正リンク・アドレスと比較する手段と、
前記識別したリンク・アドレスが前記修正リンク・アドレスではない場合に前記クリック・スルーを無効にする手段と
を備える請求項１ないし７のいずれかに記載のシステム。
【請求項９】
ホスト・サイト内に配置され、マーケティングされるサイトを参照するリンクに関するリンク・アドレスを修正するステップと、
前記修正されたリンク・アドレスを参照しない前記リンクに対するクリック・スルーを拒絶するステップと
を含むペイ・パー・クリック方法。
【請求項１０】
前記ホスト・サイトおよびマーケティングされるサイトが、ホスト・ウェブ・サイトおよびマーケティングされるウェブ・サイトを含む請求項９に記載の方法。
【請求項１１】
前記リンク・アドレスがユニフォーム・リソース・ロケータ（ＵＲＬ）である請求項９または１０に記載の方法。
【請求項１２】
クロックで示される時間に応答して前記リンク・アドレスを修正することを含む請求項９、１０、または１１に記載の方法。
【請求項１３】
前記クロックで示される時間に応答してランダム値を含むように前記リンク・アドレスを修正することを含む請求項９、１０、または１１に記載の方法。
【請求項１４】
クロックで示される時間に応答して、前記マーケティングされるサイトによって与えられるランダム値、乱数シード、および乱数アルゴリズムのうちの１つで前記リンク・アドレスを修正することを含む請求項９、１０、または１１に記載の方法。
【請求項１５】
単一ソースからの前記リンクの各クリック・スルーをカウントすること、および
しきい値を超える前記カウンタに応答して、前記クリック・スルーの前記単一ソースを精査し、人間の存在を確立すること
をさらに含む請求項９ないし１４のいずれかに記載の方法。
【請求項１６】
マーケティングされるサイトを参照するホスト・サイト内のリンクに対するクリック・スルーを受け取ること、
前記クリック・スルーでの前記リンクに関するリンク・アドレスを識別すること、
前記識別したリンク・アドレスを、前記マーケティングされるサイトに関する実際のリンク・アドレスに対して記録された修正リンク・アドレスと比較すること、および
前記識別したリンク・アドレスが前記修正リンク・アドレスではない場合に前記クリック・スルーを無効にすること
を含む請求項９ないし１５のいずれかに記載の方法。
【請求項１７】
ペイ・パー・クリック・データ処理システムで動作可能な詐欺防止方法であって、
マーケティングされるサイトを参照するホスト・サイト内のリンクに対するクリック・スルーを受け取るステップと、
前記クリック・スルーでの前記リンクに関するリンク・アドレスを識別するステップと、
前記識別されたリンク・アドレスを、前記マーケティングされるサイトに関する実際のリンク・アドレスに対して記録された修正リンク・アドレスと比較するステップと、
前記識別されたリンク・アドレスが前記修正リンク・アドレスではない場合に前記クリック・スルーを無効にするステップと
を含む方法。
【請求項１８】
前記識別したリンク・アドレスが前記修正リンク・アドレスである場合に、前記マーケティングされるサイトに前記クリック・スルーをリダイレクトするステップ
をさらに含む、請求項１７に記載の方法。
【請求項１９】
ペイ・パー・クリック・エンジンに前記クリック・スルーを記録するステップ
をさらに含む、請求項１８に記載の方法。
【請求項２０】
前記実際のリンク・アドレスに対して記録される前記修正リンク・アドレスを反復的に修正するステップをさらに含む、
請求項１７、１８、または１９に記載の方法。
【請求項２１】
前記実際のリンク・アドレスに対して記録される前記修正リンク・アドレスを反復的に修正する前記ステップが、クロックに従って前記修正リンク・アドレスの各修正をトリガするステップを含む、
請求項２０に記載の方法。
【請求項２２】
前記実際のリンク・アドレスに対して記録される前記修正リンク・アドレスを反復的に修正する前記ステップが、前記修正リンク・アドレスの一部として少なくとも１つのランダム文字を含むようにそれぞれの前記修正リンク・アドレスを修正するステップを含む、
請求項２０に記載の方法。
【請求項２３】
前記実際のリンク・アドレスに対して記録される前記修正リンク・アドレスを反復的に修正する前記ステップが、前記マーケティングされるサイトによって与えられるランダム要素、前記マーケティングされるサイトによって与えられる乱数シード、および前記マーケティングされるサイトによって与えられる乱数アルゴリズムのうちの１つを使用して、前記修正リンク・アドレスの一部として少なくとも１つのランダム要素を含むようにそれぞれの前記修正リンク・アドレスを修正するステップを含む、
請求項２０に記載の方法。
【請求項２４】
単一ソースから前記修正後リンクの各クリック・スルーをカウントするステップと、
前記カウントがしきい値を超えたことに応答して、人間の存在を確立するために、前記クリック・スルーの前記単一ソースを精査するステップと、
をさらに含む、請求項１７ないし２３のいずれかに記載の方法。
【請求項２５】
ペイ・パー・クリック詐欺防止用のコンピュータ使用可能プログラム・コードを有するコンピュータ使用可能媒体を含むコンピュータ・プログラム製品であって、
マーケティングされるサイトを参照するホスト・サイト内のリンクに対するクリック・スルーを受け取るコンピュータ使用可能プログラム・コードと、
前記クリック・スルーでの前記リンクに関するリンク・アドレスを識別するコンピュータ使用可能プログラム・コードと、
前記識別したリンク・アドレスを、前記マーケティングされるサイトに関する実際のリンク・アドレスに対して記録された修正リンク・アドレスと比較するコンピュータ使用可能プログラム・コードと、
前記識別したリンク・アドレスが前記修正リンク・アドレスではない場合に前記クリック・スルーを無効にするコンピュータ使用可能プログラム・コードと
を含むコンピュータ・プログラム製品。
【請求項２６】
前記識別したリンク・アドレスが前記修正リンク・アドレスである場合に、前記マーケティングされるサイトに前記クリック・スルーをリダイレクトするコンピュータ使用可能プログラム・コードをさらに含む請求項２５に記載のコンピュータ・プログラム製品。
【請求項２７】
ペイ・パー・クリック・エンジンに前記クリック・スルーを記録するコンピュータ使用可能プログラム・コードをさらに含む請求項２６に記載のコンピュータ・プログラム製品。
【請求項２８】
前記実際のリンク・アドレスに対して記録される前記修正リンク・アドレスを反復的に修正するコンピュータ使用可能プログラム・コードをさらに含む請求項２５、２６、または２７に記載のコンピュータ・プログラム製品。
【請求項２９】
前記実際のリンク・アドレスに対して記録される前記修正リンク・アドレスを反復的に修正する前記コンピュータ使用可能プログラム・コードが、クロックに従って前記修正リンク・アドレスの各修正をトリガするコンピュータ使用可能プログラム・コードを含む請求項２８に記載のコンピュータ・プログラム製品。
【請求項３０】
前記実際のリンク・アドレスに対して記録される前記修正リンク・アドレスを反復的に修正する前記コンピュータ使用可能プログラム・コードが、前記修正リンク・アドレスの一部として少なくとも１つのランダム文字を含むようにそれぞれの前記修正リンク・アドレスを修正するコンピュータ使用可能プログラム・コードを含む請求項２８に記載のコンピュータ・プログラム製品。
【請求項３１】
前記実際のリンク・アドレスに対して記録される前記修正リンク・アドレスを反復的に修正する前記コンピュータ使用可能プログラム・コードが、前記マーケティングされるサイトによって与えられるランダム要素、前記マーケティングされるサイトによって与えられる乱数シード、および前記マーケティングされるサイトによって与えられる乱数アルゴリズムのうちの１つを使用して、前記修正リンク・アドレスの一部として少なくとも１つのランダム要素を含むようにそれぞれの前記修正リンク・アドレスを修正するコンピュータ使用可能プログラム・コードを含む請求項２８に記載のコンピュータ・プログラム製品。
【請求項３２】
単一ソースから前記修正後リンクの各クリック・スルーをカウントするコンピュータ使用可能プログラム・コードと、
前記カウントがしきい値を超えたことに応答して、前記クリック・スルーの前記単一ソースを精査し、人間の存在を確立するコンピュータ使用可能プログラム・コードと
をさらに含む請求項２５ないし３１のいずれかに記載のコンピュータ・プログラム製品。
【請求項３３】
ペイ・パー・クリック・データ処理環境で動作可能な詐欺防止システムであって、
マーケティングされるサイトを参照するホスト・サイト内のリンクに対するクリック・スルーを受け取る手段と、
前記クリック・スルーでの前記リンクに対するリンク・アドレスを識別する手段と、
前記識別されたリンク・アドレスを、前記マーケティングされるサイトに関する実際のリンク・アドレスに対して記録される修正リンク・アドレスと比較する手段と、
前記識別されたリンク・アドレスが前記修正リンク・アドレスではない場合に前記クリック・スルーを無効にする手段と
を備えるシステム。
【請求項３４】
前記識別したリンク・アドレスが前記修正リンク・アドレスである場合に、前記マーケティングされるサイトに前記クリック・スルーをリダイレクトする手段をさらに備える請求項３３に記載のシステム。
【請求項３５】
ペイ・パー・クリック・エンジンに前記クリック・スルーを記録する手段をさらに備える請求項３４に記載のシステム。
【請求項３６】
前記実際のリンク・アドレスに対して記録される前記修正リンク・アドレスを反復的に修正する手段をさらに備える請求項３３ないし３５のいずれかに記載のシステム。
【請求項３７】
前記実際のリンク・アドレスに対して記録される前記修正リンク・アドレスを反復的に修正する前記手段が、クロックに従って前記修正リンク・アドレスの各修正をトリガする手段を備える請求項３６に記載のシステム。
【請求項３８】
前記実際のリンク・アドレスに対して記録される前記修正リンク・アドレスを反復的に修正する前記手段が、前記修正リンク・アドレスの一部として少なくとも１つのランダム文字を含むようにそれぞれの前記修正リンク・アドレスを修正する手段を備える請求項３６に記載のシステム。
【請求項３９】
前記実際のリンク・アドレスに対して記録される前記修正リンク・アドレスを反復的に修正する前記手段が、前記マーケティングされるサイトによって与えられるランダム要素、前記マーケティングされるサイトによって与えられる乱数シード、および前記マーケティングされるサイトによって与えられる乱数アルゴリズムのうちの１つを使用して、前記修正リンク・アドレスの一部として少なくとも１つのランダム要素を含むようにそれぞれの前記修正リンク・アドレスを修正する手段を備える請求項３６に記載のシステム。
【請求項４０】
単一ソースから前記修正後リンクの各クリック・スルーをカウントする手段と、
前記カウントがしきい値を超えたことに応答して、前記クリック・スルーの前記単一ソースを精査し、人間の存在を確立する手段と
をさらに備える請求項３３ないし３９のいずれかに記載のシステム。
【請求項４１】
プログラムがコンピュータ上で実行されるときに請求項９ないし２４のいずれかに記載の方法を実施するように適合されたプログラム・コード手段を含むコンピュータ・プログラム。
【発明の詳細な説明】
【技術分野】
【０００１】
本発明は、ｅマーケティングの分野に関し、より詳細には、ペイ・パー・クリック・マーケティングの分野に関する。
【背景技術】
【０００２】
インターネットは、商品およびサービスを地域と世界の両方でマーケティングする方式に大変革をもたらした。単なるいくつかの電子文書の集まりが、ウェブ・サイトとしてワールド・ワイド・ウェブを介してグローバル・コンピューティング・コミュニティに提示されたときに、複雑な店頭を表現することができる。興味深いことに、現実の営業による商品およびサービスの従来の販売とは異なり、ウェブ・サイトのページは、広告およびマーケティング媒体と店頭の両方の目的を果たすことができる。ウェブ・ページの内容は、商品およびサービスを宣伝する手段としての役割を果たすことができると共に、いくつかのマウス・クリックに応答して、そうした同一の商品およびサービスの販売も提示する。
【０００３】
商品およびサービスの販売およびマーケティングでのインターネットの固有の役割を考えると、従来の広告およびマーケティングの根本的な変化が明らかとなっている。具体的には、ｅマーケティングは、従来のマーケティングとは異なり、大衆構成要素を含む。検索エンジンがこの大衆構成要素の発展を促進しており、その中で、消費者は、第３者のポスティングを介してウェブ・サイトの存在を発見する。検索エンジン・パラダイムでは、ウェブ・サイトへの参照が分類され、キーワード検索に応答して消費者にオンデマンドで提示される。
【０００４】
典型的な検索エンジンで索引付けされるコンテンツが多量である結果として、個々のウェブ・サイトが、入り混じった集まりの中で行方不明となる可能性がある。多量の電話帳エントリの中の電話帳エントリと同様に、多数のウェブ・サイトについて、検索エンジンによるウェブ・サイトの索引付けは、ウェブ・サイトが検索エンジンによって生成される結果リストの最初の数エントリ内に現れるのでない限り、索引付けされていないのと同じほど効果のないものとなる可能性がある。したがって、多数のウェブ・サイトは、ウェブ・サイトの認識を改善するために、より高度な料金ベース、インターネット・ベースの大衆マーケティング技法を利用する。
【０００５】
具体的には、ウェブ・サイトに対する検索エンジン・リンケージの大衆的性質は、ウェブ・サイト所有者／オペレータの側の責務を含まないが、他の大衆ｅマーケティング技法は、ウェブ・サイト・オペレータが料金を支払うことを必要とする。料金の存在により、必然的にマーケティングされるウェブ・サイトの数が減少し、その結果、ウェブ・サイトに関する可視性のレベルが向上する。そのような料金ベースのインターネット大衆マーケティング技法はペイ・パー・クリック・マーケティングである。ペイ・パー・クリック・マーケティングでは、あるウェブ・サイトにテキストまたはイメージを埋め込むことができるが、選択されたとき、テキストまたはイメージは、第２ウェブ・サイトにリンクすることができる。第１ウェブ・サイトはホスト・ウェブ・サイトであり、第２ウェブ・サイトは、マーケティングされるウェブ・サイトである。
【０００６】
ペイ・パー・クリック・モデルでは、マーケティングされるウェブ・サイトにリンクするテキストまたはイメージを閲覧者が選択するときはいつでも、ホスト・ウェブ・サイトが「クリック・スルー」の補償を受ける。
【発明の開示】
【発明が解決しようとする課題】
【０００７】
このようにして、マーケティングされるウェブ・サイトに必要とされることは、大衆マーケティングで成功した試行に関してホスト・ウェブ・サイトに支払うことだけである。それにも関わらず、ペイ・パー・クリック・モデルは、各クリック・スルーが本質的に正当であることを仮定する。しかし、ペイ・パー・クリック世界全体にわたって詐欺が流行している。具体的には、ホスト・ウェブ・サイトに対する収入を（不正に）増やすために、ホスト・ウェブ・サイトがペイ・パー・クリック・リンクの周期的な選択を自動化することは珍しいことではない。同様に、マーケティングされるウェブ・サイトのオペレータの競争相手が、マーケティングされるウェブ・サイトのオペレータに対してペイ・パー・クリックに対するマーケティング・コストを不必要に増大させるために、ペイ・パー・クリック・リンクの選択を自動化することも珍しくない。
【課題を解決するための手段】
【０００８】
したがって、本発明の実施形態は、ペイ・パー・クリック処理に関する当技術分野の欠陥に対処し、ペイ・パー・クリック詐欺防止のための新規かつ自明でない方法、システム、およびコンピュータ・プログラム製品を提供する。
【０００９】
第１の態様によれば、ホスト・サイトおよびマーケティングされるサイトに結合するように構成されたペイ・パー・クリック・エンジンと、前記ペイ・パー・クリック・エンジンに結合されたリンク・ランダム化ロジックであって、前記ホスト・サイト内に配置され、前記マーケティングされるサイトを参照するリンクに関するリンク・アドレスを修正することを可能ならしめるプログラム・コードを含むリンク・ランダム化ロジックとを含み、前記ペイ・パー・クリック・エンジンが、前記修正リンク・アドレスを参照しない前記リンクに対するクリック・スルーを拒絶することを可能ならしめるプログラム・コードを含むペイ・パー・クリック・データ処理システムが提供される。
【００１０】
一実施形態では、ホスト・サイトおよびマーケティングされるサイトは、ホスト・ウェブ・サイトおよびマーケティングされるウェブ・サイトを含む。さらに、一実施形態では、リンク・アドレスはユニフォーム・リソース・ロケータ（ＵＲＬ）である。実施形態のシステムは、リンク・ランダマイザに結合されたクロックをさらに備える。したがって、リンク・ランダム化ロジックのプログラム・コードはさらに、クロックで示される時間に応答してリンク・アドレスを修正することが可能にされてよい。一実施形態では、リンク・ランダム化ロジックのプログラム・コードはさらに、クロックで示される時間に応答してランダム値を含むようにリンク・アドレスを修正するように動作可能にされる。
【００１１】
任意選択で、このシステムは、リンク・ランダマイザに結合されたクロックを含むことができ、リンク・ランダム化ロジックのプログラム・コードはさらに、クロックで示される時間に応答してリンク・アドレスを修正するように動作可能にすることができる。修正は、マーケティングされるサイトによって与えられるランダム値、マーケティングされるサイトによって与えられる乱数シード、およびマーケティングされるサイトによって与えられる乱数アルゴリズムのうちの１つを含むことができる。別のオプションとして、システムは、単一ソースからのリンクの各クリック・スルーをカウントすることが可能なカウンタをさらに含むことができる。その結果、ペイ・パー・クリック・エンジンは、しきい値を超えるカウンタに応答して、クリック・スルーの単一ソースを精査し、人間の存在を確立することを可能ならしめるプログラム・コードをさらに含むことができる。
【００１２】
第２の態様によれば、ペイ・パー・クリック・データ処理システム用の詐欺防止方法が提供される。この方法は、マーケティングされるサイトを参照するホスト・サイト内のリンクに対するクリック・スルーを受け取ることを含む。この方法はまた、クリック・スルーでのリンクに関するリンク・アドレスを識別することを含む。この方法は、識別したリンク・アドレスを、マーケティングされるサイトに関する実際のリンク・アドレスに対して記録された修正リンク・アドレスと比較することをさらに含む。最後に、この方法は、識別したリンク・アドレスが修正リンク・アドレスではない場合にクリック・スルーを無効にすることを含む。逆に言えば、一実施形態では、この方法は、識別したリンク・アドレスが修正リンク・アドレスである場合に、マーケティングされるサイトにクリック・スルーをリダイレクトすることを含む。
【００１３】
一実施形態では、クリック・スルーがペイ・パー・クリック・エンジンに記録される。
【００１４】
一実施形態では、実際のリンク・アドレスに対して記録される修正リンク・アドレスが反復的に修正される。一実施形態では、このことは、クロックに従って前記修正リンク・アドレスの各修正をトリガすることを含む。別の実施形態では、このことは、前記修正リンク・アドレスの一部として少なくとも１つのランダム文字を含むようにそれぞれの前記修正リンク・アドレスを修正することを含む。別の実施形態では、このことは、前記マーケティングされるサイトによって与えられるランダム要素、前記マーケティングされるサイトによって与えられる乱数シード、および前記マーケティングされるサイトによって与えられる乱数アルゴリズムのうちの１つを使用して、前記修正リンク・アドレスの一部として少なくとも１つのランダム要素を含むようにそれぞれの前記修正リンク・アドレスを修正することを含む。
【００１５】
一実施形態では、この方法は、単一ソースからの前記修正後リンクの各クリック・スルーをカウントすること、および前記カウントがしきい値を超えたことに応答して、前記クリック・スルーの前記単一ソースを精査し、人間の存在を確立することをさらに含む。
【００１６】
第３の態様によれば、ホスト・サイト内に配置され、マーケティングされるサイトを参照するリンクに関するリンク・アドレスを修正すること、および前記修正リンク・アドレスを参照しない前記リンクに対するクリック・スルーを拒絶することを含むペイ・パー・クリック方法が提供される。
【００１７】
第４の態様によれば、ペイ・パー・クリック詐欺防止用のコンピュータ使用可能プログラム・コードを有するコンピュータ使用可能媒体を含むコンピュータ・プログラム製品であって、マーケティングされるサイトを参照するホスト・サイト内のリンクに対するクリック・スルーを受け取るコンピュータ使用可能プログラム・コードと、前記クリック・スルーで前記リンクに対するリンク・アドレスを識別するコンピュータ使用可能プログラム・コードと、前記識別したリンク・アドレスを、前記マーケティングされるサイトに関する実際のリンク・アドレスに対して記録される修正リンク・アドレスと比較するコンピュータ使用可能プログラム・コードと、前記識別したリンク・アドレスが前記修正リンク・アドレスではない場合に、前記クリック・スルーを無効にするコンピュータ使用可能プログラム・コードとを含むコンピュータ・プログラム製品が提供される。
【００１８】
第５の態様によれば、ペイ・パー・クリック・データ処理環境で動作可能な詐欺防止システムであって、マーケティングされるサイトを参照するホスト・サイト内のリンクに対するクリック・スルーを受け取る手段と、前記クリック・スルーでの前記リンクに対するリンク・アドレスを識別する手段と、前記識別したリンク・アドレスを、前記マーケティングされるサイトに関する実際のリンク・アドレスに対して記録される修正リンク・アドレスと比較する手段と、前記識別したリンク・アドレスが前記修正リンク・アドレスではない場合に前記クリック・スルーを無効にする手段とを備える詐欺防止システムが提供される。
【００１９】
本発明はコンピュータ・ソフトウェアとして実装することができる。
【００２０】
これから、本発明の好ましい実施形態を、単なる例示として以下の図面を参照しながら説明する。
【発明を実施するための最良の形態】
【００２１】
本発明の実施形態は、ペイ・パー・クリック詐欺保護のための方法、システム、およびコンピュータ・プログラム製品を提供する。本発明の一実施形態によれば、マーケティングされるサイトを参照するリンク・アドレスに関連するリンクをホスト・サイトのページ内に配置することができる。関連するリンク・アドレスは、マーケティングされるサイトに直接的に解決することができる。しかし、配置されるリンクのリンク・アドレスを周期的に、例えばランダムに変更して、マーケティングされるサイトに直接的に解決されない一時的修正リンク・アドレスを生成することができる。任意選択で、マーケティングされるサイトは、一時的修正後リンクを生成するのに必要な１つまたは複数の要素、例えば乱数、乱数発生器のためのシード、またはランダム化された形の配置されるリンクを生成するのに必要な乱数を生成するための公式を供給することができる。
【００２２】
この点で、中間ペイ・パー・クリック・ロジックは、リンクの選択を処理して、一時的修正リンク・アドレスを、マーケティングされるサイトに直接的に解決される関連するリンク・アドレスに変換することができる。中間ペイ・パー・クリック・ロジックはさらに、一時的修正リンク・アドレスと異なるリンク・アドレスを使用してリンクのシミュレートした選択を不正にサブミットする試行を無効にすることができる。最後に、一時的修正リンク・アドレスを関連するリンク・アドレスと相関させるテーブルを維持して、リンクの選択をサブミットする正当な試行に対する中間ペイ・パー・クリック・ロジックの動作を容易にすることができる。さらに、任意選択として、追加の尺度であるカウンタを実装して、同一のサイトからリンクが選択される回数をカウントすることができる。カウンタがしきい値を超えたとき、リンクするパーティを精査して、イメージに埋め込まれたテキストを認識するなど、ボットの欠如を検証することができる。
【００２３】
より具体的な図として、図１は、ペイ・パー・クリック詐欺保護と共に構成されたペイ・パー・クリック・データ処理システムの略図である。このシステムは、第１コンテンツ・サーバ１３０でアクセス可能なマーケティングされるサイト１５０と通信するペイ・パー・クリック・エンジン１４０を含むことができる。ペイ・パー・クリック・エンジン１４０は、第２コンテンツ・サーバ１２０でアクセス可能なホスト・サイト１６０内に配置することができ、またはホスト・サイト１６０と通信式に結合することができる。特に、ホスト・サイト１６０は、マーケティングされるサイト１５０のリンク・アドレスに関連するリンク１７０を含むことができ、それによってリンク・アドレスは、第１コンテンツ・サーバ１３０内のマーケティングされるサイト１５０に解決することができる。
【００２４】
ペイ・パー・クリック・エンジン１４０に結合されたリンク・ランダム化ロジック２００は、第１コンテンツ・サーバ１３０内のマーケティングされるサイト１５０に直接的には解決されない修正後アドレスにリンク１７０のリンク・アドレスを変更することが可能にされたプログラム・コードを含むことができる。リンク・ランダム化ロジック２００のプログラム・コードは、結合されるクロック１８０に従って、リンク１７０のリンク・アドレスを時々変更することができる。例えば、クロック１８０で示されるようにしきい期間が経過したとき、リンク・ランダム化ロジック２００のプログラム・コードは、リンク１７０のリンク・アドレスに対するランダム修正を生成することが可能にされてよい。生成されるランダム修正とリンク１７０のリンク・アドレスとの間の相関を変換テーブル１９０内に維持することができる。
【００２５】
任意選択で、マーケティングされるサイト１５０によって与えられるランダム化アルゴリズムに基づいてランダム修正を生成することができる。あるいは、マーケティングされるサイト１５０によって与えられる乱数に基づいてランダム修正を生成することもできる。さらに別の代替として、乱数発生器で使用される、マーケティングされるサイト１５０によって与えられるシードに基づいてランダム修正を生成することができる。リンク１７０のリンク・アドレスに対するランダム修正を生成することが必要であるときにマーケティングされるサイト１５０にプロンプト指示することができ、またはマーケティングされるサイト１５０は、ランダム化に必要な要素を事前に提供することができる。
【００２６】
動作の際に、リンク１７０のサブミットの受信に応答して、リンク・ランダム化ロジック２００のプログラム・コードは、リンク１７０に関連するリンク・アドレスを受信することができる。リンク・ランダム化ロジック２００のプログラム・コードは、変換テーブル１９０にアクセスし、リンク・アドレスをマーケティングされるサイト１５０に直接的に解決するのに変換が利用可能かどうかを判定するように使用可能にすることができる。そうでない場合、リンク・ランダム化ロジック２００のプログラム・コードはサブミットが不正であるとみなすことができ、サブミットを無効にすることができる。そうでない場合、リンク・ランダム化ロジック２００のプログラム・コードは、サブミットを正当なものとみなし、リンク・アドレスを変換することができ、サブミットを第１コンテンツ・サーバ１３０内のマーケティングされるサイト１５０にリダイレクトすることができる。さらに、ペイ・パー・クリック・エンジン１４０は、正当なサブミットに対するクリック・スルーを記録することができる。
【００２７】
任意選択で、リンク１７０に対してカウンタを確立することができる。リンク１７０が特定のサイトから選択されるされるごとに、カウンタを増分することができる。カウンタがしきい値を超えたとき、サブミットを不正なものとみなすことができ、人間の存在を証明するためにコンピュータで生成された刺激に対する人間の応答を与えるようにリンクするパーティを精査するプロンプトをリンクするパーティに対して発行することができる。例には、イメージ内に配置されたテキストを認識すること、論理的質問に応答することなどの周知の技法が含まれる。
【００２８】
別の図として、図２は、好ましい実施形態による、図１のシステム内のペイ・パー・クリック・リンクに対するリンク・アドレスをランダムに割り当てるプロセスを示すフロー・チャートを示す。ブロック２０５で始まり、時間を取り出すことができ、ブロック２１０で、マーケティングされるサイトに対するリンクに関するリンク・アドレスに対する修正をトリガするためのしきい時間量が経過したかどうかを判定することができる。しかし、本発明は時間の経過に限定されず、他の時間ベースの判定も本発明の範囲内にあることを当業者は理解されたい。そのような他の時間ベースの判定は、特定の時間の発生を含むことができる。
【００２９】
ブロック２１５では、時間しきい値に直面すると、ホスト・サイト内に配置されたリンクに関するリンク・アドレスを修正することができる。修正は、例えば、リンクに関連するユニフォーム・リソース・ロケータ（ＵＲＬ）の修正後部分を含むことができる。例えば、リンク内で参照される実際のリンクＵＲＬは「www.marketedsite.com/pay-per-click-engine」であり、「www.marketedsite1.com/pay-per-click-engine」に対する実際のリンクＵＲＬに応じて修正後ＵＲＬをランダムに割り当てることができる。ブロック２２０では、実際のリンクＵＲＬおよび修正後ＵＲＬに関する変換を記録することができる。最後に、ブロック２２５では、修正後ＵＲＬに伴うリンクをホスト・サイトに発行することができる。
【００３０】
ホスト・サイト内のリンクを発行した後に、リンクのリンク・アドレスによって参照されるペイ・パー・クリック・エンジンは、不正であっても、正当であっても、プロセス・リンク・サブミットでよい。図では、図３を参照すると、ブロック２３０で、ホスト・サイト内に配置されたリンクに関連してホスト・サイトからクリック・スルーを受信することができる。ブロック２３５では、リンクに関するリンク・アドレスを処理のために取り出すことができる。判定ブロック２４０では、リンク・アドレスに関する記録された変換が存在するかどうか、およびリンク・アドレスが正当であるかどうかを判定することができる。そうでない場合、ブロック２４５では、クリック・スルーを不正なものとして拒絶することができる。
【００３１】
判定ブロック２４０では、クリック・スルーが正当であると判定される場合、ブロック２５０では、クリック・スルー・サブミットに関するリンク・アドレスを、対応するマーケティングされるサイトに解決されるアドレスに変換することができる。ブロック２５５では、ペイ・パー・クリックを反映するためにクリック・スルーを記録することができる。最後に、ブロック２６０では、ブロック２５０で与えられた変換後アドレスに従って、対応するマーケティングされるサイトにクリック・スルーをリダイレクトすることができる。
【００３２】
本発明の実施形態は、完全にハードウェアの実施形態、完全にソフトウェアの実施形態、またはハードウェア要素とソフトウェア要素をどちらも含む実施形態の形を取ることができる。好ましい実施形態では、本発明はソフトウェアとして実装され、ソフトウェアは、限定はしないが、ファームウェア、常駐ソフトウェア、マイクロコードなどを含む。さらに、本発明は、コンピュータまたは任意の命令実行システムによって使用され、またはそれと共に使用されるプログラム・コードを提供するコンピュータ使用可能媒体またはコンピュータ可読媒体からアクセス可能なコンピュータ・プログラム製品の形を取ることができる。
【００３３】
この説明では、コンピュータ使用可能媒体またはコンピュータ可読媒体は、命令実行システム、機器、または装置によって使用され、またはそれと共に使用されるプログラムを含むことができ、格納することができ、通信することができ、伝播することができ、または移送することのできる任意の機器でよい。媒体は、電子的システム、磁気的システム、光学的システム、電磁的システム、赤外線システム、または半導体システム（あるいは機器または装置）、あるいは伝播媒体でよい。コンピュータ可読媒体の例には、半導体または固体メモリ、磁気テープ、取外し可能コンピュータ・ディスケット、ランダム・アクセス・メモリ（ＲＡＭ）、読取り専用メモリ（ＲＯＭ）、硬質磁気ディスク、および光ディスクが含まれる。光ディスクの現在の例には、コンパクト・ディスク−読取り専用メモリ（ＣＤ−ＲＯＭ）、コンパクト・ディスク−読取り／書込み（ＣＤ−Ｒ／Ｗ）、およびＤＶＤが含まれる。
【００３４】
プログラム・コードを格納または実行し、あるいはその両方を行うのに適したデータ処理システムは、システム・バスを介してメモリ要素に直接的または間接的に結合された少なくとも１つのプロセッサを含む。メモリ要素は、プログラム・コードの実際の実行中に使用されるローカル・メモリと、バルク・ストレージと、実行中にバルク・ストレージからコードを取り出さなければならない回数を削減するために少なくとも一部のプログラム・コードの一時記憶を実現するキャッシュ・メモリとを含むことができる。入出力装置すなわちＩ／Ｏ装置（限定はしないが、キーボード、ディスプレイ、ポインティング・デバイスなどを含む）を、直接的に、または介入Ｉ／Ｏコントローラを介してシステムに結合することができる。ネットワーク・アダプタをシステムに結合し、介入プライベートネットワークまたは公衆ネットワークを介してデータ処理システムを他のデータ処理システムまたはリモート・プリンタまたは記憶装置に結合することを可能にすることもできる。モデム、ケーブル・モデム、およびイーサネット・カードは、現在入手可能なタイプのネットワーク・アダプタのほんの一部である。
【図面の簡単な説明】
【００３５】
【図１】本発明の好ましい実施形態による、ペイ・パー・クリック詐欺保護と共に構成されたペイ・パー・クリック・データ処理システムの略図である。
【図２】本発明の好ましい実施形態による、図１のシステム内のペイ・パー・クリック・リンクに対するリンク・アドレスをランダムに割り当てるプロセスを示すフロー・チャートである。
【図３】本発明の好ましい実施形態による、ペイ・パー・クリック詐欺保護方法を示すフロー・チャートである。
【図１】
2009512918.tif 000003
【図２】
2009512918.tif 000004
【図３】
2009512918.tif 000005
【国際調査報告】
2009512918.tif 000006
2009512918.tif 000007
2009512918.tif 000008